(57)【要約】【課題】裏面にタッチセンサを備えたことによる消費電力の増加を抑制することができる携帯端末を提供する。【解決手段】裏面タッチセンサ１１は、液晶ディスプレイ２０の面を表面としたときに裏面に設けられる。側面タッチセンサ１２ａ，１２ｂは、側面に設けられる。制御部１６は、側面タッチセンサ１２ａ，１２ｂへのタッチ箇所の個数およびタッチ箇所に基づいて、裏面タッチセンサ１１をオンまたはオフに設定する。【選択図】図１
2014071477.tif 000002
【特許請求の範囲】
【請求項１】
ディスプレイと、
前記ディスプレイの面を表面としたときに裏面に設けられた裏面タッチセンサと、
側面に設けられた側面タッチセンサと、
前記側面タッチセンサへのタッチ箇所の個数およびタッチ箇所に基づいて、前記裏面タッチセンサをオンまたはオフに設定する制御部とを備える、携帯端末。
【請求項２】
前記制御部は、前記裏面タッチセンサをオンに設定するときには、前記裏面タッチセンサの操作によって移動可能なカーソルを前記ディスプレイに表示する、請求項１記載の携帯端末。
【請求項３】
前記携帯端末は、
視線入力デバイスと、
音声入力デバイスとを備え、
前記制御部は、前記裏面タッチセンサをオンに設定するときには、前記視線入力デバイスおよび音声入力デバイスをオフに設定し、前記裏面タッチセンサをオフに設定するときには、前記視線入力デバイスおよび音声入力デバイスのうち少なくとも１つをオンに設定する、請求項１または２記載の携帯端末。
【請求項４】
前記携帯端末は、
前記側面タッチセンサとして、前記携帯端末の表面から見たときに左側側面に設けられた第１の側面タッチセンサと、前記携帯端末の表面から見たときに右側側面に設けられた第２の側面タッチセンサとを備え、
前記制御部は、前記第１の側面タッチセンサのタッチ箇所の個数または前記第２の側面タッチセンサのタッチ箇所の個数が４点の場合には、前記裏面タッチセンサをオフに設定する、請求項１〜３のいずれか１項に記載の携帯端末。
【請求項５】
前記携帯端末は、
前記側面タッチセンサとして、前記携帯端末の表面から見たときに左側側面に設けられた第１の側面タッチセンサと、前記携帯端末の表面から見たときに右側側面に設けられた第２の側面タッチセンサとを備え、
前記制御部は、前記第１の側面タッチセンサのタッチ箇所の個数または前記第２の側面タッチセンサのタッチ箇所の個数が３点であり、かつ前記３点のタッチ箇所が、前記第１の側面タッチセンサまたは前記第２の側面タッチセンサの上端から長手方向にＬ／４以上離れている場合には、前記裏面タッチセンサをオンに設定する、ただし、Ｌは前記第１の側面タッチセンサおよび前記第２の側面タッチセンサの長手方向の長さである、請求項１〜３のいずれか１項に記載の携帯端末。
【請求項６】
前記携帯端末は、
前記側面タッチセンサとして、前記携帯端末の表面から見たときに左側側面に設けられた第１の側面タッチセンサと、前記携帯端末の表面から見たときに右側側面に設けられた第２の側面タッチセンサとを備え、
前記制御部は、前記第１の側面タッチセンサのタッチ箇所の個数または前記第２の側面タッチセンサのタッチ箇所の個数が３点であり、かつ前記３点のタッチ箇所の少なくとも１つが、前記第１の側面タッチセンサまたは前記第２の側面タッチセンサの上端から長手方向にＬ／４よりも近い場合には、前記裏面タッチセンサをオフに設定する、ただし、Ｌは前記第１の側面タッチセンサおよび前記第２の側面タッチセンサの長手方向の長さである、請求項１〜３のいずれか１項に記載の携帯端末。
【請求項７】
前記携帯端末は、
前記側面タッチセンサとして、前記携帯端末の表面から見たときに左側側面に設けられた第１の側面タッチセンサと、前記携帯端末の表面から見たときに右側側面に設けられた第２の側面タッチセンサとを備え、
制御部は、前記第１の側面タッチセンサのタッチ箇所の個数または前記第２の側面タッチセンサのタッチ箇所の個数が１点であり、かつ前記１点のタッチ箇所が、前記第１の側面タッチセンサまたは前記第２の側面タッチセンサの上端から長手方向にＬ／２以上離れている場合には、前記裏面タッチセンサをオフに設定する、ただし、Ｌは前記第１の側面タッチセンサおよび前記第２の側面タッチセンサの長手方向の長さである、請求項１〜３のいずれか１項に記載の携帯端末。
【請求項８】
前記携帯端末は、
前記側面タッチセンサとして、前記携帯端末の表面から見たときに左側側面に設けられた第１の側面タッチセンサと、前記携帯端末の表面から見たときに右側側面に設けられた第２の側面タッチセンサとを備え、
制御部は、前記第１の側面タッチセンサのタッチ箇所の個数および前記第２の側面タッチセンサのタッチ箇所の個数が０点の場合には、前記裏面タッチセンサをオフに設定する、請求項１〜３のいずれか１項に記載の携帯端末。
【請求項９】
前記携帯端末は、
記憶部を備え、
前記制御部は、ユーザの操作入力に基づいて、前記側面タッチセンサへのタッチ箇所の個数およびタッチ箇所に応じて、前記裏面タッチセンサをオンにするか、またはオフにするかを定めたユーザ設定情報を作成して前記記憶部に書き込み、
前記制御部は、前記側面タッチセンサへのタッチ箇所の個数およびタッチ箇所と、前記ユーザ設定情報に基づいて、前記裏面タッチセンサをオンまたはオフに設定する、請求項１記載の携帯端末。
【請求項１０】
前記携帯端末は、
記憶部を備え、
前記制御部は、ユーザの操作入力に基づいて、前記側面タッチセンサへのタッチ箇所の個数およびタッチ箇所に応じて、前記裏面タッチセンサ、前記視線入力デバイス、および前記音声入力デバイスをオンにするか、またはオフにするかを定めたユーザ設定情報を作成して前記記憶部に書き込み、
前記制御部は、前記側面タッチセンサへのタッチ箇所の個数およびタッチ箇所と、前記ユーザ設定情報に基づいて、前記裏面タッチセンサ、前記視線入力デバイス、および前記音声入力デバイスをオンまたはオフに設定する、請求項３記載の携帯端末。
【発明の詳細な説明】
【技術分野】
【０００１】
本発明は、携帯端末に関する。
【背景技術】
【０００２】
近年、携帯電話は電話機能だけでなく、小型情報端末としてパソコンの代わりとして色々と使用されている。パソコンの代わりとして情報端末として使用される場合、画面が大きい方が使い勝手が良いため、最近の携帯電話では大画面化が進んでいる。
【０００３】
しかしながら、大画面で対角まで指が届かないこともある。これに対応するために、裏面にもタッチセンサを設けて、裏面で操作するようにしたものが知られている（たとえば、特許文献１（特開２００７−１４１０２９号公報）を参照）。
【先行技術文献】
【特許文献】
【０００４】
【特許文献１】特開２００７−１４１０２９号公報
【発明の概要】
【発明が解決しようとする課題】
【０００５】
しかしながら、裏面にもタッチセンサを設けると、端末の持ち方によっては、ユーザが必要としない場合にも裏面のタッチセンサが反応してしまうという問題がある。
【０００６】
それゆえに、裏面にタッチセンサが設けられた場合に、そのタッチセンサが不必要に反応することを抑制することができる携帯端末が求められている。
【課題を解決するための手段】
【０００７】
本発明のある局面の携帯端末は、ディスプレイと、ディスプレイの面を表面としたときに裏面に設けられた裏面タッチセンサと、側面に設けられた側面タッチセンサと、側面タッチセンサへのタッチ箇所の個数およびタッチ箇所に基づいて、裏面タッチセンサをオンまたはオフに設定する制御部とを備える。
【０００８】
好ましくは、制御部は、裏面タッチセンサをオンに設定するときには、裏面タッチセンサの操作によって移動可能なカーソルをディスプレイに表示する。
【０００９】
好ましくは、携帯端末は、視線入力デバイスと、音声入力デバイスとを備える。制御部は、裏面タッチセンサをオンに設定するときには、視線入力デバイスおよび音声入力デバイスをオフに設定し、裏面タッチセンサをオフに設定するときには、視線入力デバイスおよび音声入力デバイスのうち少なくとも１つをオンに設定する。
【００１０】
好ましくは、携帯端末は、側面タッチセンサとして、携帯端末の表面から見たときに左側側面に設けられた第１の側面タッチセンサと、携帯端末の表面から見たときに右側側面に設けられた第２の側面タッチセンサとを備える。制御部は、第１の側面タッチセンサのタッチ箇所の個数または第２の側面タッチセンサのタッチ箇所の個数が４点の場合には、裏面タッチセンサをオフに設定する。
【００１１】
好ましくは、携帯端末は、側面タッチセンサとして、携帯端末の表面から見たときに左側側面に設けられた第１の側面タッチセンサと、携帯端末の表面から見たときに右側側面に設けられた第２の側面タッチセンサとを備える。制御部は、第１の側面タッチセンサのタッチ箇所の個数または第２の側面タッチセンサのタッチ箇所の個数が３点であり、かつ３点のタッチ箇所が、第１の側面タッチセンサまたは第２の側面タッチセンサの上端から長手方向にＬ／４以上離れている場合には、裏面タッチセンサをオンに設定する。ただし、Ｌは第１の側面タッチセンサおよび第２の側面タッチセンサの長手方向の長さである。
【００１２】
好ましくは、携帯端末は、側面タッチセンサとして、携帯端末の表面から見たときに左側側面に設けられた第１の側面タッチセンサと、携帯端末の表面から見たときに右側側面に設けられた第２の側面タッチセンサとを備える。制御部は、第１の側面タッチセンサのタッチ箇所の個数または第２の側面タッチセンサのタッチ箇所の個数が３点であり、かつ３点のタッチ箇所の少なくとも１つが、第１の側面タッチセンサまたは第２の側面タッチセンサの上端から長手方向にＬ／４よりも近い場合には、裏面タッチセンサをオフに設定する。ただし、Ｌは第１の側面タッチセンサおよび第２の側面タッチセンサの長手方向の長さである。
【００１３】
好ましくは、携帯端末は、側面タッチセンサとして、携帯端末の表面から見たときに左側側面に設けられた第１の側面タッチセンサと、携帯端末の表面から見たときに右側側面に設けられた第２の側面タッチセンサとを備える。制御部は、第１の側面タッチセンサのタッチ箇所の個数または第２の側面タッチセンサのタッチ箇所の個数が１点であり、かつ１点のタッチ箇所が、第１の側面タッチセンサまたは第２の側面タッチセンサの上端から長手方向にＬ／２以上離れている場合には、裏面タッチセンサをオフに設定する。ただし、Ｌは第１の側面タッチセンサおよび第２の側面タッチセンサの長手方向の長さである。
【００１４】
好ましくは、携帯端末は、側面タッチセンサとして、携帯端末の表面から見たときに左側側面に設けられた第１の側面タッチセンサと、携帯端末の表面から見たときに右側側面に設けられた第２の側面タッチセンサとを備える。制御部は、第１の側面タッチセンサのタッチ箇所の個数および第２の側面タッチセンサのタッチ箇所の個数が０点の場合には、裏面タッチセンサをオフに設定する。
【００１５】
好ましくは、携帯端末は、記憶部を備える。制御部は、ユーザの操作入力に基づいて、側面タッチセンサへのタッチ箇所の個数およびタッチ箇所に応じて、裏面タッチセンサをオンにするか、またはオフにするかを定めたユーザ設定情報を作成して記憶部に書き込む。制御部は、側面タッチセンサへのタッチ箇所の個数およびタッチ箇所と、ユーザ設定情報に基づいて、裏面タッチセンサをオンまたはオフに設定する。
【００１６】
好ましくは、携帯端末は、記憶部を備える。制御部は、ユーザの操作入力に基づいて、側面タッチセンサへのタッチ箇所の個数およびタッチ箇所に応じて、裏面タッチセンサ、視線入力デバイス、および音声入力デバイスをオンにするか、またはオフにするかを定めたユーザ設定情報を作成して記憶部に書き込む。制御部は、側面タッチセンサへのタッチ箇所の個数およびタッチ箇所と、ユーザ設定情報に基づいて、裏面タッチセンサ、視線入力デバイス、および音声入力デバイスをオンまたはオフに設定する。
【発明の効果】
【００１７】
本発明によれば、裏面のタッチセンサが不必要に反応してしまうことを抑えることができる。
【図面の簡単な説明】
【００１８】
【図１】実施の形態の携帯端末の構成を表わす図である。
【図２】（ａ）は、実施の形態の携帯端末を表面から見た図である。（ｂ）は、実施の形態の携帯端末を裏面から見た図である。
【図３】握り方パターンＡ１を表わす図である。
【図４】握り方パターンＡ２を表わす図である。
【図５】握り方パターンＢ１を表わす図である。
【図６】握り方パターンＢ２を表わす図である。
【図７】握り方パターンＣ１を表わす図である。
【図８】握り方パターンＣ２を表わす図である。
【図９】握り方パターンＤ１を表わす図である。
【図１０】握り方パターンＤ２を表わす図である。
【図１１】握り方パターンＥ１を表わす図である。
【図１２】握り方パターンＥ２を表わす図である。
【図１３】握り方パターンＦ１を表わす図である。
【図１４】握り方パターンＦ２を表わす図である。
【図１５】握り方パターンＧ１を表わす図である。
【図１６】握り方パターンＧ２を表わす図である。
【図１７】第１の実施形態の携帯端末の握り方の判定および入力デバイスのオン／オフ設定の手順を示すフローチャートである。
【図１８】握り方パターンＨ１を表わす図である。
【図１９】握り方パターンＨ２を表わす図である。
【図２０】ユーザ独自の携帯端末の握り方と、入力デバイスのオン／オフ設定のデータベース作成手順を表わすフローチャートである。
【図２１】図２０のステップＳ２０１において表示される画面の例を表わす図である。
【図２２】図２０のステップＳ２０３において表示される画面の例を表わす図である。
【図２３】図２０のステップＳ２０５において表示される画面の例を表わす図である。
【図２４】図２０のステップＳ２０７において表示される画面の例を表わす図である。
【図２５】図２０のステップＳ２０９において表示される画面の例を表わす図である。
【図２６】図２０のステップＳ２０９において表示される画面の例を表わす図である。
【図２７】図２０のステップＳ２１１において表示される画面の例を表わす図である。
【図２８】タッチ箇所を表わす矩形の位置とタッチ領域との関係を表わす図である。
【図２９】第２の実施形態における、携帯端末の握り方の判定および入力デバイスのオン／オフ設定の手順を示すフローチャートである。
【図３０】第２の実施形態の変形例において表示される画面の例を表わす図である。
【発明を実施するための形態】
【００１９】
以下、本発明の実施形態について、図面を用いて説明する。
［第１の実施形態］
図１は、実施の形態の携帯端末の構成を表わす図である。
【００２０】
図１を参照して、この携帯端末は、アンテナ１７と、無線通信部１８と、加速度センサ１０と、表面タッチセンサ１１と、第１側面タッチセンサと、第２側面タッチセンサと、視線入力デバイス１４と、音声入力デバイス１５と、画面表示部１９と、液晶ディスプレイ２０と、記憶部２１と、制御部１６とを備える。
【００２１】
無線通信部１８は、アンテナ１７を通じて、無線基地局と通信する。
加速度センサ１０は、ユーザが携帯端末を手に持ったときに、加速度（つまり振動）を検出する。
【００２２】
表面タッチセンサ１１は、液晶ディスプレイ２０の面上に設けられる。以下の説明では、液晶ディスプレイ２０の面を携帯端末の表面（おもてめん）とする。
【００２３】
第１の側面タッチセンサ１２ａは、携帯端末の表面から見たときに左側側面に設けられる。
【００２４】
第２の側面タッチセンサ１２ｂは、携帯端末の表面から見たときに右側側面に設けられる。
【００２５】
第１の側面タッチセンサ１２ａおよび第２の側面タッチセンサ１２ｂの長手方向の長さをＬとする。
【００２６】
視線入力デバイス１４は、画像を入力するカメラ９４と、入力された画像から視線を検出する回路からなる。
【００２７】
音声入力デバイス１５は、音声を入力するマイク９５と、入力された音声を処理する回路からなる。
【００２８】
画面表示部１９は、ポインタなどを液晶ディスプレイ２０に表示する。
記憶部２１は、各種の設定情報を記憶する。
【００２９】
制御部１６は、第１の側面タッチセンサ１２ａへおよび第２タッチセンサのタッチ箇所の個数およびタッチ箇所に基づいて、裏面タッチセンサ１３をオンまたはオフに設定する。
制御部１６は、裏面タッチセンサ１３をオンに設定するときには、画面表示部１９を制御して裏面タッチセンサ１３の操作によって移動可能なカーソル３１を液晶ディスプレイ２０に表示させる。制御部１６は、第１の側面タッチセンサ１２ａのタッチ箇所の個数または第２の側面タッチセンサ１２ｂのタッチ箇所の個数が４点の場合には、裏面タッチセンサ１３をオフに設定する、制御部１６は、第１の側面タッチセンサ１２ａのタッチ箇所の個数および第２の側面タッチセンサ１２ｂのタッチ箇所の個数が０点の場合には、裏面タッチセンサ１３をオフに設定する。制御部１６は、第１の側面タッチセンサ１２ａのタッチ箇所の個数または第２の側面タッチセンサ１２ｂのタッチ箇所の個数が３点であり、かつそれら３点のタッチ箇所が、第１の側面タッチセンサ１２ａまたは第２の側面タッチセンサ１２ｂの上端から長手方向にＬ／４以上離れている場合には、裏面タッチセンサ１３をオンに設定する、制御部１６は、第１の側面タッチセンサ１２ａのタッチ箇所の個数または第２の側面タッチセンサ１２ｂのタッチ箇所の個数が３点であり、かつそれら３点のタッチ箇所の少なくとも１つが、第１の側面タッチセンサ１２ａまたは第２の側面タッチセンサ１２ｂの上端から長手方向にＬ／４よりも近い場合には、裏面タッチセンサ１３をオフに設定する。制御部１６は、第１の側面タッチセンサ１２ａのタッチ箇所の個数または第２の側面タッチセンサ１２ｂのタッチ箇所の個数が１点であり、かつその１点のタッチ箇所が、第１の側面タッチセンサ１２ａまたは第２の側面タッチセンサ１２ｂの上端から長手方向にＬ／２以上離れている場合には、裏面タッチセンサ１３をオフに設定する。
【００３０】
図２（ａ）は、実施の形態の携帯端末を表面から見た図である。
携帯端末の表面には、表面タッチセンサ１１と、視線入力デバイス１４に含まれるカメラ９４と、音声入力デバイス１５に含まれるマイク９５とが設けられている。携帯端末の左側側面には、液晶ディスプレイ２０上に第１の側面タッチセンサ１２ａが設けられている。液晶ディスプレイ２０には、裏面タッチセンサ１３がオンの場合には、裏面タッチセンサ１３で移動操作が可能なカーソル３１が表示される。また、携帯端末の右側側面には、第２の側面タッチセンサ１２ｂが設けられている。
【００３１】
図２（ｂ）は、実施の形態の携帯端末を裏面から見た図である。
携帯端末の裏面の上方には、裏面タッチセンサ１３が設けられている。裏面タッチセンサ１３は、主として人差し指で操作が可能なように、裏面の上方に配置されている。なお、図２（ｂ）において、裏面タッチセンサ１３は楕円状であるが、矩形状等の他の形状であってもよい。
【００３２】
＜パターンＡ＞
まず、パターンＡ１とパターンＡ２について説明する。パターンＡ１とパターンＡ２とでは、携帯端末を持つ手が異なる。以下では、パターンＡ１とパターンＡ２とを総称して、パターンＡと呼ぶこともある。
【００３３】
（パターンＡ１）
図３は、握り方パターンＡ１を表わす図である。
【００３４】
握り方パターンＡ１は、左手で携帯端末を握るときのパターンである。パターンＡ１では、第１の側面タッチセンサ１２ａへのユーザの親指および掌によるタッチ箇所が１点である。第２の側面タッチセンサ１２ｂへのユーザの指によるタッチ箇所が４点である。第２の側面タッチセンサ１２ｂへのユーザの指によるタッチ箇所が４点の場合には、左手の人差し指が第２の側面タッチセンサ１２ｂをタッチしているので、左手の人差し指による裏面タッチセンサ１３へのタッチは起こり得ない。したがって、パターンＡ１では、制御部１６は、人差し指によるタッチ以外のタッチに基づいてタッチセンサ１３が反応してしまうことを抑制するために、裏面タッチセンサ１３をオフに設定する。制御部１６は、裏面タッチセンサ１３の代わりとして、音声入力デバイス１５と視線入力デバイス１４をオンに設定する。
【００３５】
（パターンＡ２）
図４は、握り方パターンＡ２を表わす図である。
【００３６】
握り方パターンＡ２は、右手で携帯端末を握るときのパターンである。パターンＡ２では、第２の側面タッチセンサ１２ｂへのユーザの親指および掌によるタッチ箇所が１点である。第１の側面タッチセンサ１２ａへのユーザの指によるタッチ箇所が４点である。第１の側面タッチセンサ１２ａへのユーザの指によるタッチ箇所が４点の場合には、右手の人差し指が第１の側面タッチセンサ１２ａをタッチしているので、右手の人差し指による裏面タッチセンサ１３へのタッチは起こり得ない。したがって、パターンＡ２では、制御部１６は、人差し指によるタッチ以外のタッチに基づくタッチセンサ１３の不必要な反応を抑制するために、裏面タッチセンサ１３をオフに設定する。制御部１６は、裏面タッチセンサ１３の代わりとして、音声入力デバイス１５と視線入力デバイス１４をオンに設定する。
【００３７】
＜パターンＢ＞
次に、パターンＢ１とパターンＢ２について説明する。パターンＢ１とパターンＢ２とでは、携帯端末を持つ手が異なる。以下では、パターンＢ１とパターンＢ２とを総称して、パターンＢと呼ぶこともある。
【００３８】
（パターンＢ１）
図５は、握り方パターンＢ１を表わす図である。
【００３９】
握り方パターンＢ１は、左手で携帯端末を握るときのパターンである。パターンＢ１では、第１の側面タッチセンサ１２ａへのユーザの親指および掌によるタッチ箇所が２点である。第２の側面タッチセンサ１２ｂへのユーザの指によるタッチ箇所が４点である。第２の側面タッチセンサ１２ｂへのユーザの指によるタッチ箇所が４点の場合には、左手の人差し指が第２の側面タッチセンサ１２ｂをタッチしているので、左手の人差し指による裏面タッチセンサ１３へのタッチは起こり得ない。したがって、パターンＢ１では、制御部１６は、人差し指によるタッチ以外のタッチに基づいてタッチセンサ１３が反応してしまうことを抑制するために、裏面タッチセンサ１３をオフに設定する。制御部１６は、裏面タッチセンサ１３の代わりとして、音声入力デバイス１５と視線入力デバイス１４をオンに設定する。
【００４０】
（パターンＢ２）
図６は、握り方パターンＢ２を表わす図である。
【００４１】
握り方パターンＢ２は、右手で携帯端末を握るときのパターンである。パターンＢ２では、第２の側面タッチセンサ１２ｂへのユーザの親指および掌によるタッチ箇所が２点である。第１の側面タッチセンサ１２ａへのユーザの指によるタッチ箇所が４点である。第１の側面タッチセンサ１２ａへのユーザの指によるタッチ箇所が４点の場合には、右手の人差し指が第１の側面タッチセンサ１２ａをタッチしているので、右手の人差し指による裏面タッチセンサ１３へのタッチは起こり得ない。したがって、パターンＢ２では、制御部１６は、人差し指によるタッチ以外のタッチに基づいてタッチセンサ１３が反応してしまうことを抑制するために、裏面タッチセンサ１３をオフに設定する。制御部１６は、裏面タッチセンサ１３の代わりとして、音声入力デバイス１５と視線入力デバイス１４をオンに設定する。
【００４２】
＜パターンＣ＞
次に、パターンＣ１とパターンＣ２について説明する。パターンＣ１とパターンＣ２とでは、携帯端末を持つ手が異なる。以下では、パターンＣ１とパターンＣ２とを総称して、パターンＣと呼ぶこともある。
【００４３】
（パターンＣ１）
図７は、握り方パターンＣ１を表わす図である。図７において、第１の側面タッチセンサ１２ａおよび第２の側面タッチセンサ１２ｂの長手方向をＹ軸とし、原点を上端とする。
握り方パターンＣ１は、左手で携帯端末を握るときのパターンである。パターンＣ１では、第１の側面タッチセンサ１２ａへのユーザの親指および掌によるタッチ箇所が１点である。第２の側面タッチセンサ１２ｂへのユーザの指によるタッチ箇所が３点である。３点のタッチ箇所のＹ座標は、すべてＹ１以上である。ただし、Ｙ１＝Ｌ／４。つまり、３点のタッチ箇所は、上端から長手方向にＬ／４以上離れている。この場合には、左手の人差し指が空いている可能性が高い（他の指が空いている可能性がゼロではないが）。左手の人差し指が空いている場合には、裏面タッチセンサ１３へのタッチは起こり得る。したがって、パターンＣ１では、制御部１６は、裏面タッチセンサ１３をオンに設定するともに、画面表示部１９を制御してカーソル３１を液晶ディスプレイ２０に表示させる。制御部１６は、消費電力を低減するために音声入力デバイス１５と視線入力デバイス１４をオフに設定する。
【００４４】
（パターンＣ２）
図８は、握り方パターンＣ２を表わす図である。図８において、第１の側面タッチセンサ１２ａおよび第２の側面タッチセンサ１２ｂの長手方向をＹ軸とし、原点を上端とする。
【００４５】
握り方パターンＣ２は、右手で携帯端末を握るときのパターンである。パターンＣ２では、第２の側面タッチセンサ１２ｂへのユーザの親指および掌によるタッチ箇所が１点である。第１の側面タッチセンサ１２ａへのユーザの指によるタッチ箇所が３点である。３点のタッチ箇所のＹ座標は、すべてＹ１以上である。ただし、Ｙ１＝Ｌ／４。つまり、３点のタッチ箇所は、上端から長手方向にＬ／４以上離れている。この場合には、右手の人差し指が空いている可能性が高い（他の指が空いている可能性がゼロではないが）。右手の人差し指が空いている場合には、裏面タッチセンサ１３へのタッチは起こり得る。したがって、パターンＣ２では、制御部１６は、裏面タッチセンサ１３をオンに設定するとともに、画面表示部１９を制御してカーソル３１を液晶ディスプレイ２０に表示させる。制御部１６は、消費電力を低減するために音声入力デバイス１５と視線入力デバイス１４をオフに設定する。
【００４６】
＜パターンＤ＞
次に、パターンＤ１とパターンＤ２について説明する。パターンＤ１とパターンＤ２とでは、携帯端末を持つ手が異なる。以下では、パターンＤ１とパターンＤ２とを総称して、パターンＤと呼ぶこともある。
【００４７】
（パターンＤ１）
図９は、握り方パターンＤ１を表わす図である。図９において、第１の側面タッチセンサ１２ａおよび第２の側面タッチセンサ１２ｂの長手方向をＹ軸とし、原点を上端とする。
【００４８】
握り方パターンＤ１は、左手で携帯端末を握るときのパターンである。パターンＤ１では、第１の側面タッチセンサ１２ａへのユーザの親指および掌によるタッチ箇所が１点である。第２の側面タッチセンサ１２ｂへのユーザの指によるタッチ箇所が３点である。３点のタッチ箇所のＹ座標は、すべてＹ１以上である。ただし、Ｙ１＝Ｌ／４。つまり、３点のタッチ箇所は、上端から長手方向にＬ／４以上離れている。この場合には、左手の人差し指が空いている可能性が高い（他の指が空いている可能性がゼロではないが）。左手の人差し指が空いている場合には、裏面タッチセンサ１３へのタッチは起こり得る。したがって、パターンＤ１では、制御部１６は、裏面タッチセンサ１３をオンに設定するとともに、画面表示部１９を制御してカーソル３１を液晶ディスプレイ２０に表示させる。制御部１６は、消費電力を低減するために音声入力デバイス１５と視線入力デバイス１４をオフに設定する。
【００４９】
（パターンＤ２）
図１０は、握り方パターンＤ２を表わす図である。図１０において、第１の側面タッチセンサ１２ａおよび第２の側面タッチセンサ１２ｂの長手方向をＹ軸とし、原点を上端とする。
【００５０】
握り方パターンＤ２は、右手で携帯端末を握るときのパターンである。パターンＤ２では、第２の側面タッチセンサ１２ｂへのユーザの親指および掌によるタッチ箇所が１点である。第１の側面タッチセンサ１２ａへのユーザの指によるタッチ箇所が３点である。３点のタッチ箇所のＹ座標は、すべてＹ１以上である。ただし、Ｙ１＝Ｌ／４。つまり、３点のタッチ箇所は、上端から長手方向にＬ／４以上離れている。この場合には、右手の人差し指が空いている可能性が高い（他の指が空いている可能性がゼロではないが）。右手の人差し指が空いている場合には、裏面タッチセンサ１３へのタッチは起こり得る。したがって、パターンＤ２では、制御部１６は、裏面タッチセンサ１３をオンに設定するとともに、画面表示部１９を制御してカーソル３１を液晶ディスプレイ２０に表示させる。制御部１６は、消費電力を低減するために音声入力デバイス１５と視線入力デバイス１４をオフに設定する。
【００５１】
＜パターンＥ＞
次に、パターンＥ１とパターンＥ２について説明する。パターンＥ１とパターンＥ２とでは、携帯端末を持つ手が異なる。以下では、パターンＥ１とパターンＥ２とを総称して、パターンＥと呼ぶこともある。
【００５２】
（パターンＥ１）
図１１は、握り方パターンＥ１を表わす図である。図１１において、第１の側面タッチセンサ１２ａおよび第２の側面タッチセンサ１２ｂの長手方向をＹ軸とし、原点を上端とする。
【００５３】
握り方パターンＥ１は、左手で携帯端末を握るときのパターンである。パターンＥ１では、第１の側面タッチセンサ１２ａへのユーザの親指および掌によるタッチ箇所が１点である。第２の側面タッチセンサ１２ｂへのユーザの指によるタッチ箇所が３点である。３点のタッチ箇所のＹ座標のうちの少なくとも１つが、Ｙ１未満である。ただし、Ｙ１＝Ｌ／４。つまり、３点のタッチ箇所の少なくとも１つが、上端から長手方向にＬ／４よりも近い。この場合には、左手の人差し指で第２の側面タッチセンサ１２ｂをタッチしている可能性が高い（左手の人差し指が空いている可能性がゼロではないが）。左手の人差し指が使用されている場合には、裏面タッチセンサ１３へのタッチは起こり得ない。したがって、パターンＥ１では、制御部１６は、人差し指によるタッチ以外のタッチに基づいてタッチセンサ１３が反応してしまうことを抑制するために、裏面タッチセンサ１３をオフに設定する。制御部１６は、裏面タッチセンサ１３の代わりとして、音声入力デバイス１５と視線入力デバイス１４をオンに設定する。
【００５４】
（パターンＥ２）
図１２は、握り方パターンＥ２を表わす図である。図１２において、第１の側面タッチセンサ１２ａおよび第２の側面タッチセンサ１２ｂの長手方向をＹ軸とし、原点を上端とする。
【００５５】
握り方パターンＥ２は、右手で携帯端末を握るときのパターンである。パターンＥ２では、第２の側面タッチセンサ１２ｂへのユーザの親指および掌によるタッチ箇所が１点である。第１の側面タッチセンサ１２ａへのユーザの指によるタッチ箇所が３点である。３点のタッチ箇所のＹ座標のうちの少なくとも１つが、Ｙ１未満である。ただし、Ｙ１＝Ｌ／４。つまり、３点のタッチ箇所の少なくとも１つが、上端から長手方向にＬ／４よりも近い。この場合には、右手の人差し指で第１の側面タッチセンサ１２ａをタッチしている可能性が高い（右手の人差し指が空いている可能性がゼロではないが）。右手の人差し指が使用されている場合には、裏面タッチセンサ１３へのタッチは起こり得ない。したがって、パターンＥ２では、制御部１６は、人差し指によるタッチ以外のタッチに基づいてタッチセンサ１３が反応してしまうことを抑制するために、裏面タッチセンサ１３をオフに設定する。制御部１６は、裏面タッチセンサ１３の代わりとして、音声入力デバイス１５と視線入力デバイス１４をオンに設定する。
【００５６】
＜パターンＦ＞
次に、パターンＦ１とパターンＦ２について説明する。パターンＦ１とパターンＦ２とでは、携帯端末を持つ手が異なる。以下では、パターンＦ１とパターンＦ２とを総称して、パターンＦと呼ぶこともある。
【００５７】
（パターンＦ１）
図１３は、握り方パターンＦ１を表わす図である。図１３において、第１の側面タッチセンサ１２ａおよび第２の側面タッチセンサ１２ｂの長手方向をＹ軸とし、原点を上端とする。
【００５８】
握り方パターンＦ１は、左手で携帯端末を握るときのパターンである。パターンＦ１では、第２の側面タッチセンサ１２ｂへのユーザの指によるタッチ箇所が０点である。第１の側面タッチセンサ１２ａへのユーザの親指および掌によるタッチ箇所が１点である。１点のタッチ箇所のＹ座標が、Ｙ２以上である。ただし、Ｙ２＝Ｌ／２。つまり、１点のタッチ箇所が上端から長手方向にＬ／２以上離れている。この場合には、左手の親指で表面タッチセンサ１１を操作する可能性が高く、裏面タッチセンサ１３へのタッチは起こる可能性が低い。したがって、パターンＦ１では、制御部１６は、人差し指によるタッチ以外のタッチに基づいてタッチセンサ１３が反応してしまうことを抑制するために、裏面タッチセンサ１３をオフに設定する。制御部１６は、裏面タッチセンサ１３の代わりとして、音声入力デバイス１５と視線入力デバイス１４をオンに設定する。
【００５９】
（パターンＦ２）
図１４は、握り方パターンＦ２を表わす図である。図１４において、第１の側面タッチセンサ１２ａおよび第２の側面タッチセンサ１２ｂの長手方向をＹ軸とし、原点を上端とする。
【００６０】
握り方パターンＦ２は、右手で携帯端末を握るときのパターンである。パターンＦ２では、第１の側面タッチセンサ１２ａへのユーザの指によるタッチ箇所が０点である。第２の側面タッチセンサへのユーザの親指および掌によるタッチ箇所が１点である。１点のタッチ箇所のＹ座標が、Ｙ２以上である。ただし、Ｙ２＝Ｌ／２。つまり、１点のタッチ箇所が上端から長手方向にＬ／２以上離れている。この場合には、右手の親指で表面タッチセンサ１１を操作する可能性が高く、裏面タッチセンサ１３へのタッチは起こる可能性が低い。したがって、パターンＦ２では、制御部１６は、人差し指によるタッチ以外のタッチに基づくタッチセンサ１３の不必要な反応を抑制するために、裏面タッチセンサ１３をオフに設定する。制御部１６は、裏面タッチセンサ１３の代わりとして、音声入力デバイス１５と視線入力デバイス１４をオンに設定する。
【００６１】
＜パターンＧ＞
次に、パターンＧ１とパターンＧ２について説明する。パターンＧ１とパターンＧ２とでは、携帯端末を持つ手が異なる。以下では、パターンＧ１とパターンＧ２とを総称して、パターンＧと呼ぶこともある。
【００６２】
（パターンＧ１）
図１５は、握り方パターンＧ１を表わす図である。
【００６３】
握り方パターンＧ１は、左手で携帯端末を握るときのパターンである。パターンＧ１では、第２の側面タッチセンサ１２ｂへのユーザの指によるタッチ箇所が０点であり、第１の側面タッチセンサ１２ａへのユーザの親指および掌によるタッチ箇所も０点である。この場合には、左手の親指で表面タッチセンサ１１を操作する可能性が高く、裏面タッチセンサ１３へのタッチは起こる可能性が低い。したがって、パターンＧ１では、制御部１６は、人差し指によるタッチ以外のタッチに基づくタッチセンサ１３の不必要な反応を抑制するために、裏面タッチセンサ１３をオフに設定する。制御部１６は、裏面タッチセンサ１３の代わりとして、音声入力デバイス１５と視線入力デバイス１４をオンに設定する。
【００６４】
（パターンＧ２）
図１６は、握り方パターンＧ２を表わす図である。
【００６５】
握り方パターンＧ２は、右手で携帯端末を握るときのパターンである。パターンＧ２では、第１の側面タッチセンサ１２ａへのユーザの指によるタッチ箇所が０点であり、第２の側面タッチセンサ１２ｂへのユーザの親指および掌によるタッチ箇所も０点である。この場合には、右手の親指で表面タッチセンサ１１を操作する可能性が高く、裏面タッチセンサ１３へのタッチは起こる可能性が低い。したがって、パターンＧ２では、制御部１６は、人差し指によるタッチ以外のタッチに基づいてタッチセンサ１３が反応してしまうことを抑制するために、裏面タッチセンサ１３をオフに設定する。制御部１６は、裏面タッチセンサ１３の代わりとして、音声入力デバイス１５と視線入力デバイス１４をオンに設定する。
【００６６】
図１７は、第１の実施形態の携帯端末の握り方の判定および入力デバイスのオン／オフ設定の手順を示すフローチャートである。
【００６７】
ユーザが携帯端末を手に持つことによって、加速度センサ１０によって加速度が検出された場合には（ステップＳ１００でＹＥＳ）、制御部１６は、第１の側面タッチセンサ１２ａおよび第２の側面タッチセンサ１２ｂへユーザの指または掌が接触することによるタッチ箇所の個数を判定する。
【００６８】
制御部１６は、第１の側面タッチセンサ１２ａのタッチ箇所の個数または第２の側面タッチセンサ１２ｂのタッチ箇所の個数が４点の場合には（ステップＳ１０１でＹＥＳ）、ユーザの携帯端末の握り方がパターンＡまたはパターンＢであると判断する。制御部１６は、パターンＡまたはパターンＢに適した入力デバイスを選択する。すなわち、制御部１６は、裏面タッチセンサ１３をオフに設定し、視線入力デバイス１４と音声入力デバイス１５をオンに設定する（ステップＳ１０２）。
【００６９】
制御部１６は、第１の側面タッチセンサ１２ａのタッチ箇所の個数または第２の側面タッチセンサ１２ｂのタッチ箇所の個数が３点であり（ステップＳ１０３でＹＥＳ）、かつそれら３点のタッチ箇所は、第１の側面タッチセンサ１２ａまたは第２の側面タッチセンサ１２ｂの上端から長手方向にＬ／４以上離れている場合（ステップＳ１０４でＹＥＳ）には、ユーザの携帯端末の握り方がパターンＣまたはパターンＤであると判断する。制御部１６は、パターンＣまたはパターンＤに適した入力デバイスを選択する。すなわち、制御部１６は、裏面タッチセンサ１３をオンに設定するとともに、画面表示部１９を制御してカーソル３１を液晶ディスプレイ２０に表示させ、視線入力デバイス１４と音声入力デバイス１５をオフに設定する（ステップＳ１０５）。
【００７０】
制御部１６は、第１の側面タッチセンサ１２ａのタッチ箇所の個数または第２の側面タッチセンサ１２ｂのタッチ箇所の個数が３点であり（ステップＳ１０３でＹＥＳ）、かつそれら３点のタッチ箇所の少なくとも１つが、第１の側面タッチセンサ１２ａまたは第２の側面タッチセンサ１２ｂの上端から長手方向にＬ／４よりも近い場合（ステップＳ１０４でＮＯ）には、ユーザの携帯端末の握り方がパターンＥであると判断する。制御部１６は、パターンＥに適した入力デバイスを選択する。すなわち、制御部１６は、裏面タッチセンサ１３をオフに設定し、視線入力デバイス１４と音声入力デバイス１５をオンに設定する（ステップＳ１０６）。
【００７１】
制御部１６は、第１の側面タッチセンサ１２ａのタッチ箇所の個数または第２の側面タッチセンサ１２ｂのタッチ箇所の個数が１点であり（ステップＳ１０７でＹＥＳ）、かつその１点のタッチ箇所が上端から長手方向にＬ／２以上離れている場合（ステップＳ１０８でＹＥＳ）には、ユーザの携帯端末の握り方がパターンＦであると判断する。制御部１６は、パターンＦに適した入力デバイスを選択する。すなわち、制御部１６は、裏面タッチセンサ１３をオフに設定し、視線入力デバイス１４と音声入力デバイス１５をオンに設定する（ステップＳ１０９）。
【００７２】
制御部１６は、第１の側面タッチセンサ１２ａのタッチ箇所の個数および第２の側面タッチセンサ１２ｂのタッチ箇所の個数が０点である（つまりタッチなし）（ステップＳ１１０でＹＥＳ）場合には、ユーザの携帯端末の握り方がパターンＧであると判断する。制御部１６は、パターンＧに適した入力デバイスを選択する。すなわち、制御部１６は、裏面タッチセンサ１３をオフに設定し、視線入力デバイス１４と音声入力デバイス１５をオンに設定する（ステップＳ１１１）。
【００７３】
なお、ステップＳ１０８において、１点のタッチ箇所が上端から長手方向にＬ／２よりも近い場合（ステップＳ１０８でＮＯ）も、制御部１６は、裏面タッチセンサ１３をオフに設定し、視線入力デバイス１４と音声入力デバイス１５をオンに設定する（ステップＳ１１１）する。
【００７４】
以上のように、本実施の形態によれば、携帯端末の握り方に応じて、裏面タッチセンサを使う可能性がない、または少ない場合には裏面にタッチセンサをオフにするので、裏面タッチセンサを設けたことによるタッチセンサ１３の不必要な反応を抑制することができる。また、裏面タッチセンサで操作するときには、他の入力手段である視線や音声を同時に使用することはないので、視線入力デバイスと音声入力デバイス１５をオフにすることによって、これらのデバイスの消費電力を低減することができる。
【００７５】
なお、握り方パターンＡ〜Ｇは、それぞれ一例として挙げたものであり、これに限られない。例えば、パターンＡ〜Ｇ以外にも、次のようなパターンＨが考えられる。パターンＨには、左手で携帯端末を握る場合のパターンＨ１と、右手で携帯端末を握る場合のパターンＨ２がある。
【００７６】
図１８は、握り方パターンＨ１を表わす図である。
パターンＨ１では、左手で携帯端末を握る場合に、第１の側面タッチセンサ１２ａへのユーザの親指および掌によるタッチ箇所が１点である。第２の側面タッチセンサ１２ｂへのユーザの指によるタッチ箇所が３点である。１点のタッチ箇所のＹ座標は、Ｙ２以上である。ただし、Ｙ２＝Ｌ／２。つまり、１点のタッチ箇所が上端から長手方向にＬ／２以上離れている。この場合、左手の親指で表面タッチセンサ１１を操作することも考えられるが、人差し指の動く範囲が大きくなって、裏面タッチセンサ１３へのタッチが容易になるとも考えられる。したがって、パターンＨ１では、制御部１６は、裏面タッチセンサ１３をオンに設定するとともに、画面表示部１９を制御してカーソル３１を液晶ディスプレイ２０に表示させてよい。また、制御部１６は、消費電力を低減するために音声入力デバイス１５と視線入力デバイス１４をオフに設定してよい。
【００７７】
図１９は、握り方パターンＨ２を表わす図である。
握り方パターンＨ２は、右手で携帯端末を握るときのパターンである。パターンＨ２では、第１の側面タッチセンサ１２ａへのユーザの指によるタッチ箇所が３点である。第２の側面タッチセンサへのユーザの親指および掌によるタッチ箇所が１点である。１点のタッチ箇所のＹ座標が、Ｙ２以上である。ただし、Ｙ２＝Ｌ／２。つまり、１点のタッチ箇所が上端から長手方向にＬ／２以上離れている。この場合には、右手の親指で表面タッチセンサ１１を操作することも考えられるが、人差し指の動く範囲が大きくなって、裏面タッチセンサ１３へのタッチが容易になるとも考えられる。したがって、パターンＨ２では、制御部１６は、裏面タッチセンサ１３をオンに設定するとともに、画面表示部１９を制御してカーソル３１を液晶ディスプレイ２０に表示させてよい。また、制御部１６は、消費電力を低減するために音声入力デバイス１５と視線入力デバイス１４をオフに設定してよい。
【００７８】
なお、本実施の形態では、握り方パターンＡ〜Ｇが、第１および第２の側面タッチセンサ１２ａ，１２ｂのうち一方の側面タッチセンサのタッチ箇所の個数およびそれらのタッチ箇所の上端からの距離に応じて区別されている（図１７）。しかし、例えば、パターンＦとパターンＨのように、一方の側面タッチセンサのタッチ箇所の個数およびそれらのタッチ箇所の上端からの距離によっては、区別できない場合もある。このような場合は、他方の側面タッチセンサのタッチ箇所の個数等を考慮することにより、区別されてよい。
【００７９】
［第２の実施形態］
本実施の形態では、制御部１６は、表面タッチセンサ１１へのユーザのタッチ操作に基づいて、第１の側面タッチセンサ１２ａおよび第２の側面タッチセンサ１２ｂへのタッチ箇所の個数およびタッチ箇所に応じて、裏面タッチセンサ１３、視線入力デバイス１４、および音声入力デバイス１５をオンにするか、またはオフにするかを定めたユーザ設定情報を作成して記憶部２１に書き込む。
【００８０】
制御部１６は、第１の側面タッチセンサ１２ａおよび第２の側面タッチセンサ１２ｂへのタッチ箇所の個数およびタッチ箇所と、ユーザ設定情報に基づいて、裏面タッチセンサ１３、視線入力デバイス１４、および音声入力デバイス１５をオンまたはオフに設定する。
【００８１】
図２０は、ユーザ独自の携帯端末の握り方と、入力デバイスのオン／オフ設定のデータベース作成手順を表わすフローチャートである。図２１〜図２７は、図２０のステップにおいて表示される画面の例を表わす図である。図２８は、タッチ箇所を表わす矩形の位置とタッチ領域との関係を表わす図である。
【００８２】
まず、制御部１６は、画面表示部１９に、携帯端末を握る手を選択させる画面を表示させる。図２１に示すように、左手を選択するボタン５１、右手を選択するボタン５２が表示される（ステップＳ２０１）。
【００８３】
次に、制御部１６は、表面タッチセンサ１１を通じてユーザが入力する携帯端末を握る手の選択を受け付ける。ここでは、ユーザが左手を選択するボタン５１を選択したとする（ステップＳ２０２）。
【００８４】
次に、制御部１６は、画面表示部１９に、握り手の手首から遠い側面（握り手が右の場合には、第１の側面タッチセンサ１２ａの面、握り手が左の場合には、第２の側面タッチセンサ１２ｂの面、以下、遠い側側面）の指のタッチ箇所数を入力させる画面を表示させる。図２２に示すように、第２の側面タッチセンサ１２ｂにタッチ箇所を表わす矩形５３〜５６が重畳された画面が表示される（ステップＳ２０３）。
【００８５】
次に、制御部１６は、表面タッチセンサ１１を通じてユーザが入力する遠い側側面の指のタッチ箇所数を取得する。ここでは、タッチ箇所を表わす矩形５６をタッチすることによって、矩形５６が消去されて、タッチ箇所が３カ所であると判定される（ステップＳ２０４）。なお、図示していないが、画面表示部１９に完了ボタンを表示させ、ユーザがタッチ箇所を選択した後、その完了ボタンを押下した場合に、ユーザによるタッチ箇所数を入力する作業が終了したと判定されるようにしてもよい。また、以降の処理においても同様に、ユーザの入力を要求する画面が表示される場合には、完了ボタンも表示させ、その完了ボタンの押下によりユーザによる入力作業の終了が判定されてもよい。
【００８６】
次に、制御部１６は、画面表示部１９に、遠い側側面のタッチ箇所を入力させる画面を表示させる。図２３に示すように、タッチ箇所を表わす矩形５３、５４、５５が移動可能であることを表わす矢印が表示される。ただし、矩形５３，５４，５５は、図２８に示す領域Ａ、Ｂ、Ｃ、Ｄのいずれか１つに収まる必要があるものとし、２つの領域をまたいで配置することができないものとする（ステップＳ２０５）。
【００８７】
次に、制御部１６は、表面タッチセンサ１１を通じてユーザが入力するタッチ箇所を表わす矩形の範囲を取得する。制御部１６は、取得した矩形の範囲がタッチ領域Ａ、Ｂ、Ｃ、Ｄのいずれに含まれるかを判定する。図２８に示すように、遠い側側面のタッチ箇所を表わす矩形のＹ座標の範囲が０≦Ｙ＜Ｙ１に含まれる場合には、タッチ箇所がタッチ領域Ａに属すると判定される。遠い側側面のタッチ箇所を表わす矩形のＹ座標の範囲がＹ１≦Ｙ＜Ｙ２に含まれる場合には、タッチ箇所がタッチ領域Ｂに属すると判定される。遠い側側面のタッチ箇所を表わす矩形のＹ座標の範囲がＹ２≦Ｙ＜Ｙ３の場合には、タッチ箇所がタッチ領域Ｃに属すると判定される。遠い側側面のタッチ箇所を表わす矩形のＹ座標の範囲がＹ３≦Ｙ≦Ｙ４の場合には、タッチ箇所がタッチ領域Ｄに属すると判定される（ステップＳ２０６）。
【００８８】
次に、制御部１６は、画面表示部１９に、握り手の手首から近い側面（握り手が右の場合には、第２の側面タッチセンサ１２ｂの面、握り手が左の場合には、第１の側面タッチセンサ１２ａの面、以下、近い側側面）の指または掌のタッチ箇所数を入力させる画面を表示させる。図２４に示すように、第１の側面タッチセンサ１２ａにタッチ箇所を表わす矩形５７、５８が重畳された画面が表示される（ステップＳ２０７）。
【００８９】
次に、制御部１６は、表面タッチセンサ１１を通じてユーザが入力する近い側側面の指または掌のタッチ箇所数を取得する。ここでは、タッチ箇所を表わす矩形５７をタッチすることによって、矩形５７が消去されて、タッチ箇所数が１箇所であると判定される（ステップＳ２０８）。
【００９０】
次に、制御部１６は、画面表示部１９に、近い側側面のタッチ箇所を入力させる画面を表示させる。図２５に示すように、タッチ箇所を表わす矩形５７が移動可能、かつ拡大および縮小可能であることを表わす矢印が表示される。ここでは、図２６に示すように、矩形５７が拡大および移動されたとする（ステップＳ２０９）。
【００９１】
次に、制御部１６は、表面タッチセンサ１１を通じてユーザが入力するタッチ箇所を表わす矩形の範囲を取得する。制御部１６は、取得した矩形の範囲がタッチ領域Ｅ、Ｆ、Ｇのいずれに含まれるかを判定する。図２８に示すように、近い側側面のタッチ箇所を表わす矩形のＹ座標の範囲が０≦Ｙ＜Ｙ２の場合には、タッチ箇所がタッチ領域Ｅに属すると判定される。近い側側面のタッチ箇所を表わす矩形のＹ座標の範囲がＹ２≦Ｙ≦Ｙ４の場合には、タッチ箇所がタッチ領域Ｆに属すると判定される。近い側側面のタッチ箇所を表わす矩形のＹ座標が０≦Ｙ≦Ｙ４の場合には、タッチ箇所がタッチ領域Ｇに属すると判定される（ステップＳ２１０）。
【００９２】
次に、制御部１６は、画面表示部１９に、図２７に示すように、裏面タッチセンサ１３のオン／オフ、視線入力デバイス１４のオン／オフ、音声入力デバイス１５のオン／オフを設定させる画面を表示させる（ステップＳ２１１）。
【００９３】
次に、制御部１６は、表面タッチセンサ１１を通じてユーザが入力する裏面タッチセンサ１３のオン／オフ、視線入力デバイス１４のオン／オフ、音声入力デバイス１５のオン／オフの設定を受け付ける（ステップＳ２１２）。
【００９４】
制御部１６は、上記のステップで取得した、握り手が右／左の別、遠い側側面のタッチ箇所数およびタッチ領域、近い側側面のタッチ箇所数およびタッチ領域に対応する、裏面タッチセンサ１３のオン／オフ、視線入力デバイス１４のオン／オフ、音声入力デバイス１５のオン／オフを定めたユーザ設定情報を作成して記憶部２１に登録する（ステップＳ２１３）。
【００９５】
図２９は、第２の実施形態における、携帯端末の握り方の判定および入力デバイスのオン／オフ設定の手順を示すフローチャートである。
【００９６】
図２９を参照して、ユーザが携帯端末を手で握ることによって、加速度センサ１０によって加速度が検出された場合には（ステップＳ３０１でＹＥＳ）、制御部１６は、第１の側面タッチセンサ１２ａおよび第２の側面タッチセンサ１２ｂのうちのいずれかを一方を遠い側側面、他方を近い側側面としたときに、現在のタッチ箇所数およびタッチ箇所のタッチ領域に該当するパターンが記憶部２１内のユーザ設定情報に登録されているか否かを調べる。
【００９７】
制御部１６は、パターンがユーザ設定情報に登録されている場合には（ステップＳ３０２でＹＥＳ）、登録されているパターンにおいて裏面タッチセンサ１３がオンかオフか、視線入力デバイス１４がオンかオフか、音声入力デバイス１５がオンかオフかを特定して、裏面タッチセンサ１３、視線入力デバイス１４、および音声入力デバイス１５をオンまたはオフに設定する（ステップＳ３０３）。
【００９８】
以上のように、本実施の形態によれば、ユーザが自身で、携帯端末の握り方と、入力デバイスのオン／オフ設定を定めたユーザ設定情報を作成して、ユーザ設定情報に従って、裏面タッチセンサ、視線入力デバイス、音声入力デバイスをオンまたはオフに設定することができる。
【００９９】
なお、図２０に示した例では、ステップＳ２０３において第２の側面タッチセンサ１２ｂにタッチ箇所を表わす矩形５３〜５６が重畳された画面が表示された場合、およびステップＳ２０７において第１の側面タッチセンサ１２ａにタッチ箇所を表わす矩形５７、５８が重畳された画面が表示された場合に、タッチ箇所を表わす矩形をタッチすることによって、その矩形が消去されるとしたが、タッチ箇所を表す矩形をタッチすることによって、その矩形がタッチ箇所として選択されるようにしてもよい。この場合、タッチ箇所を表す矩形をタッチすることによって、その矩形が他のタッチされない矩形と異なる態様で表示され、タッチ箇所として選択されていることがユーザにとって視認可能であるようにしてもよい。また、タッチ箇所として選択されている矩形を再度タッチすることによって、その選択されている矩形が、タッチ箇所として選択されないようにすることもできる。
【０１００】
さらに、図２０に示した例では、ステップＳ２０４やステップＳ２０８においてタッチ箇所数の入力を受け付けた後、ステップＳ２０５やステップＳ２０９においてタッチ箇所の入力画面を表示しているが、タッチ箇所数やタッチ箇所を同じ画面から入力できてもよい。また、図３０に示すように、握り手の手首から遠い側面のタッチ箇所を表わす矩形と握り手の手首から近い側面のタッチ箇所を表す矩形を同じ画面に表示し、握り手の手首から遠い側面のタッチ箇所数およびタッチ箇所、並びに握り手の手首から近い側面のタッチ箇所数およびタッチ箇所を、ユーザが同じ画面から設定できてもよい。
【０１０１】
（変形例）
本発明は、上記の実施形態に限定されるものではなく、たとえば以下のような変形例も含まれる。
（１）  視線入力デバイスと音声入力デバイスのオン
本実施の形態によれば、裏面タッチセンサをオフにするときには、その代わりとして視線入力デバイスと音声入力デバイスの両方をオンにすることとしたが、これに限定するものではない。裏面タッチセンサをオフにするときには、その代わりとして視線入力デバイスと音声入力デバイスのうちの一方をオンにすることとしてもよい。
（２）  デフォルト設定とユーザ設定
第１の実施形態では、携帯端末の握り方と、入力デバイスのオン／オフ設定が予め定められている（デフォルト設定）ものとし、第２の実施形態では、携帯端末の握り方と、入力デバイスのオン／オフ設定をユーザが作成できるものとしたが、これらを組み合わせることしてもよい。すなわち、ユーザにデフォルト設定を利用するか、ユーザ自身で作成した設定を用いるかをユーザが選択できるようにすることもできる。
【０１０２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０３】
１  携帯端末、１０  加速度センサ、１１  表面タッチセンサ、１２ａ  第１の側面タッチセンサ、１２ｂ  第２の側面タッチセンサ、１３  裏面タッチセンサ、１４  視線入力デバイス、１５  音声入力デバイス、１６  制御部、１７  アンテナ、１８  無線通信部、１９  画面表示部、２０  液晶ディスプレイ、３１  カーソル、９４  カメラ、９５  マイク。
【図１】
2014071477.tif 000003
【図２】
2014071477.tif 000004
【図３】
2014071477.tif 000005
【図４】
2014071477.tif 000006
【図５】
2014071477.tif 000007
【図６】
2014071477.tif 000008
【図７】
2014071477.tif 000009
【図８】
2014071477.tif 000010
【図９】
2014071477.tif 000011
【図１０】
2014071477.tif 000012
【図１１】
2014071477.tif 000013
【図１２】
2014071477.tif 000014
【図１３】
2014071477.tif 000015
【図１４】
2014071477.tif 000016
【図１５】
2014071477.tif 000017
【図１６】
2014071477.tif 000018
【図１７】
2014071477.tif 000019
【図１８】
2014071477.tif 000020
【図１９】
2014071477.tif 000021
【図２０】
2014071477.tif 000022
【図２１】
2014071477.tif 000023
【図２２】
2014071477.tif 000024
【図２３】
2014071477.tif 000025
【図２４】
2014071477.tif 000026
【図２５】
2014071477.tif 000027
【図２６】
2014071477.tif 000028
【図２７】
2014071477.tif 000029
【図２８】
2014071477.tif 000030
【図２９】
2014071477.tif 000031
【図３０】
2014071477.tif 000032